(57)【特許請求の範囲】
【請求項１】
光源として半導体レーザーを使用し、この半導体レーザーを駆動するレーザードライバーを前記半導体レーザーが組み込まれるハウジングに設置する構成の光学ヘッドにおけるレーザードライバー放熱装置であって、前記ハウジングに放熱板を設置し、レーザードライバーに接続されるフレキシブル基板を重ねるように折曲して該フレキシブル基板にバネ性が付与された折曲部を形成し、ハウジングに取り付けられたカバー部材により前記折曲部を押圧して前記レーザードライバーを前記放熱板に押し付け、レーザードライバーの前記フレキシブル基板が接続される接続面と反対側を前記放熱板の上に密着させて設置したことを特徴とする光学ヘッドにおけるレーザードライバー放熱装置。
【請求項２】
ハウジングの前記放熱板が設置される設置部の一部に放熱用の透孔を設けたことを特徴とする請求項１記載の光学ヘッドにおけるレーザードライバー放熱装置。
【発明の詳細な説明】
【０００１】
【発明の属する技術分野】
本発明は、半導体レーザーを駆動するレーザードライバーの放熱を行う光学ヘッドにおけるレーザードライバー放熱装置に関し、特に、レーザードライバーを半導体レーザーが組み込まれるハウジングに設置する構成の光学ヘッドにおけるレーザードライバー放熱装置に関する。
【０００２】
【従来の技術】
ディスク等の信号記録媒体に対して光学的に信号の読み取り、あるいは書き込みを行う光学ヘッド装置は、通常、光源となる半導体レーザー及び受光素子である光検出器が組み込まれるハウジングに、対物レンズを駆動させるアクチュエータを設置して構成される。前記ハウジングは、半導体レーザーから出射されるレーザービームを対物レンズに導く光学系及び信号記録媒体により反射されて対物レンズに戻されるレーザービームを光検出器に導く光学系が形成されている。
【０００３】
ところで、半導体レーザーを駆動する集積回路のレーザードライバーはハウジングに設置され、半導体レーザーとレーザードライバーとは例えばフレキシブル基板により接続され、信号劣化や雑音の影響を抑えるために近接して配置される。
【０００４】
【発明が解決しようとする課題】
しかしながら、半導体レーザーとレーザードライバーとが近接して配置されると、レーザードライバーから発生される熱が半導体レーザーにより発光されるレーザービームに悪影響を与える問題があった。
【０００５】
すなわち、半導体レーザーは温度変化により発光するレーザービームの波長が変化するので、レーザードライバーによる発熱が半導体レーザー自体の発熱に加わって半導体レーザーに悪影響を与える。
【０００６】
その為、レーザードライバーで発生する熱を放熱する放熱板を設けることが考えられるが、レーザードライバーには電気的な結線のためにフレキシブル基板等のプリント配線板が一方の面に配置されるので、放熱板やレーザードライバーの設置場所が制限され、作業性の問題があった。
【０００７】
【課題を解決するための手段】
本発明は、ハウジングに放熱板を設置し、レーザードライバーに接続されるフレキシブル基板を重ねるように折曲して該フレキシブル基板にバネ性が付与された折曲部を形成し、ハウジングに取り付けられたカバー部材により前記折曲部を押圧して前記レーザードライバーを前記放熱板に押し付け、レーザードライバーの前記フレキシブル基板が接続される接続面と反対側を前記放熱板の上に密着させて設置する。これにより放熱板をレーザードライバーの下方に設置させ、フレキシブル基板を上方に配置させた状態でレーザードライバーを設置するようにすると共に、レーザードライバーを放熱板に密着させるようにしている。
【０００８】
【実施例】
図１は本発明に係る光学ヘッドにおけるレーザードライバー放熱装置の展開状態を示す展開斜視図であり、図２は図１のレーザードライバー放熱装置の組立完成状態を示す斜視図である。
【０００９】
１は半導体レーザー２が組み込まれるアルミダイキャスト製のハウジング、３は銅製の放熱板、４は半導体レーザー２を駆動するレーザードライバー、５は該レーザードライバー４がハンダ付けにより接続されるフレキシブル基板である。
【００１０】
放熱板３はレーザードライバー４が設置される部分の裏面がハウジング１に密着された状態で接着され、レーザードライバー４はフレキシブル基板５にハンダ付けされた状態でフレキシブル基板５に接続される接続面と反対側の表面が放熱板３の上に密着されて設置される。
【００１１】
放熱板３の両端には立上げ部分が設けられ、レーザードライバー４の設置位置を制限し、特に、一方の端の立上げ部分はハウジング１の外表面から露出される露出部３ａとなり、放熱板３の放熱効果を高めると共に、フレキシブル基板５の位置を制限している。
【００１２】
放熱板３及びレーザードライバー４がハウジング１に設置されると、レーザードライバー４がハンダ付けされているフレキシブル基板５に設けられた半導体レーザー２用の各ランドに半導体レーザー２の各端子がハンダ付けされ、図２に示す組立完成状態となる。このハンダ付けにより半導体レーザー２とレーザードライバー４とが結線される。
【００１３】
前記フレキシブル基板５の上部からは、ハウジング１の上部を覆うカバー部材（図示せず）がハウジング１に取り付けられる。
【００１４】
ここで、前記フレキシブル基板５はレーザードライバー４が設置される設置部分の裏面が二重になるように折曲されてその折曲部分でバネ性が付与されている。その為、前記カバー部材により前記フレキシブル基板５の折曲部分が押圧され、レーザードライバー４が放熱板３に密着される。
【００１５】
したがって、レーザードライバー４により発生された熱が放熱板３を介して速やかに放熱される。この場合、放熱板３のハウジング１に密着される部分はハウジング１に伝導されて放熱され、放熱板３の露出部３ａは外気によって放熱される。
【００１６】
また、ハウジング１の放熱板３が設置される設置部の一部には放熱用の透孔６が設けられている。その為、この透孔６から外気が直接放熱板３に触れるので、放熱効果が高められると共に、ハウジング１が熱伝導率の低い材質により構成された場合であっても十分な放熱効果が期待できる。
【００１７】
【発明の効果】
以上述べた如く、本発明に依れば、レーザードライバーから発生される熱を放熱板を介して速やかに放熱することが出来るので、半導体レーザーとレーザードライバーとを近接して配置することが可能になり、この場合、放熱板をレーザードライバーの下方に設置するようにしているので、フレキシブル基板をレーザードライバーの上方に配置でき、作業性が良好であるレーザードライバー放熱装置が提供できる。
【００１８】
特に、フレキシブル基板に折曲部を形成してバネ性を付与し、ハウジングに取り付けられるカバー部材により前記折曲部を押圧して前記レーザードライバーを前記放熱板に押し付けるようにしているので、部品点数を増やすことなくレーザードライバーを放熱板に密着させて効率良くレーザードライバーの熱を放熱板に伝導させることができる。
【００１９】
また、ハウジングの放熱板が設置される設置部の一部に放熱用の透孔を設けているので、放熱効果が高められると共に、ハウジングが熱伝導率の低い材質により構成された場合であっても十分な放熱効果が期待できる。
【図面の簡単な説明】
【図１】本発明に係る光学ヘッドにおけるレーザードライバー放熱装置の展開状態を示す展開斜視図である。
【図２】図１の光学ヘッド装置におけるレーザードライバー放熱装置の組立完成状態を示す斜視図である。
【符号の説明】
１          ハウジング
２          半導体レーザー
３          放熱板
４          レーザードライバー
５          フレキシブル基板
６          透孔
【図１】
0003989179.tif 000002
【図２】
0003989179.tif 000003